(57)【要約】【課題】主要な設定項目を一覧で表示することによる設定内容の確認が容易で、さらに設定内容変更時に不要なキー操作を減少することにより、設定操作ミスを軽減することができる電子式指示計器を得る。【解決手段】電路から入力された電流、電圧から演算された計測値や設定内容を表示する表示部を備え、この表示部に、設定項目ごとに割り当てられた表示面を有し、上記表示面には個々の設定項目、選択内容を予め数値化した設定コード表に従ったコード（数値）を表示させるようにしたもの。【選択図】図１
2010032366.tif 000002
【特許請求の範囲】
【請求項１】
電路から入力された電流、電圧から各種計測値を演算する計測演算部と、この計測演算部で演算した計測値や設定内容を表示する表示部と、上記計測演算部による計測演算や、上記表示部における表示のための各種設定、表示内容の切替え制御を行う表示制御部と、この表示制御部の切替え操作を行う操作部と、各設定項目の選択可能な設定値を記憶する選択内容記憶部と、上記操作部により入力された数字を上記選択内容記憶部に照会するデコード化部と、上記選択内容記憶部の選択内容をコード化（数値化）し、上記表示制御部に送るコード化部とを備え、上記表示部には設定項目ごとに割り当てられた表示面を有し、上記表示面には個々の設定項目、選択内容を予め数値化した設定コード表に従ったコード（数値）を表示させるようにしたことを特徴とする電子式指示計器。
【請求項２】
請求項１に記載の電子式指示計器において、上記表示部の設定項目表示は、相線式の設定を表示する相線式設定表示部と、電路の定格電流の設定を表示する一次電流設定表示部と、電路の定格電圧の設定を表示する一次電圧設定表示部と、アナログ出力を行う計測項目の選択を表示するアナログ出力設定表示部と、パルス出力の設定内容を表示するパルス出力設定表示部の少なくともいずれかの組み合わせから構成されることを特徴とする電子式指示計器。
【請求項３】
請求項２に記載の電子式指示計器において、上記設定表示部の少なくとも一つは、設定コードが複数桁で構成されており、そのうち「下位１桁」を１０のべき数として表示するようにしたことを特徴とする電子式指示計器。
【請求項４】
請求項１に記載の電子式指示計器において、上記設定項目を変更するときは、プラスキーまたはマイナスキーを押すことにより、設定コード表に従ったコード（数値）を順次表示させ、所望の値で設定キーにより決定するようになされていることを特徴とする電子式指示計器。
【請求項５】
請求項１に記載の電子式指示計器において、所定の相数を入力した時には、所定の一次電圧、一次電流が設定されるようにしたことを特徴とする電子式指示計器。
【発明の詳細な説明】
【技術分野】
【０００１】
この発明は、例えば三相交流回路の電圧と電流を計測し、電圧、電流、電力、無効電力、力率、周波数などの電気量を演算して設定・表示する電子式指示計器に係り、特に、設定項目の表示方式の改良に関するものである。
【背景技術】
【０００２】
従来の電子式指示計器は、設定項目表示欄と設定内容表示欄とを有する主表示部と、選択された設定項目との関係で定まる設定内容一覧表示が可能な一覧ガイド表示部と、この表示部の所定位置の表示項目に対し必要な操作処理を行うための操作部とを備えている。そして、この操作部は、例えば、所望する表示項目の位置に向けて左右方向からのカーソルの移動を可能にするようなカーソル移動キーや、このカーソルにより選択された特定位置の表示項目との対応でその表示内容を変更するためのプラスキーとマイナスキーとからなるセレクトキーなどを備えている。
【０００３】
上記主表示部における設定項目表示欄、設定内容表示欄の設定内容を変更したいとき、一覧ガイド表示部に一覧表示されているすべての設定内容を確認することで、選択可能な設定内容を予見性をもって知ることができ、操作部を介しての設定内容の変更処理を迅速に行うようにしたものが既に提案されている。（例えば特許文献１を参照）
【０００４】
ところが、上記特許文献１のものでも、設定項目に応じた設定内容を選択的に設定することが必要である。すなわち、特定の設定項目表示欄の表示、例えば一次電流についての設定項目表示欄が表示されるまでは順次表示を切替える必要があり、その後、この設定内容表示欄に表示させるべく予め用意されている具体的な設定内容、つまり設定可能な一次電流値を個別に順次表示させ、所望する設定内容が表示されるまでの間、その変更処理を繰り返し行うことで所望の設定内容を選択的に設定していた。
【０００５】
【特許文献１】特公平７−１１４３４号公報
【発明の開示】
【発明が解決しようとする課題】
【０００６】
従来の電子式指示計器は以上のように構成されており、また表示部のセグメント数が限られているため一度に複数の設定項目を表示することができず、一つの設定項目のみ表示すると共に一項目毎に設定内容を変更して設定内容を確認する方法しか考えられなかった。しかし、上記の表示では相線式設定、一次電圧設定、一次電流設定、表示パターン設定、アナログ出力設定、パルス出力設定など設定項目毎に画面を順次切替えて設定・設定内容確認を行う必要がある。そのため設定内容の確認をしたい場合、キーにより順次画面を切替えて一項目ずつ確認しなければならないという煩わしさがあった。
【０００７】
また、例えば一次電流設定から一次電圧設定に変更を行いたい場合、設定変更不要な相線式設定、一次電圧設定などの設定画面を順次通過した後、一次電圧の設定画面に到達し、設定変更を行わなければならない。そのため、設定画面切替えのためのキー操作回数の増加により、選択操作ミスが起こるという問題があった。
【０００８】
本発明は、上記のような課題を解決するためになされたもので、設定項目をコード化（数値化）することにより、一画面に設定項目の一覧を表示させ、設定・設定内容確認時に画面を切替える煩わしさをなくすことができる電子式指示計器を得るものである。
【課題を解決するための手段】
【０００９】
本発明に係る電子式指示計器は、電路から入力された電流、電圧から各種計測値を演算する計測演算部と、この計測演算部で演算した計測値や設定内容を表示する表示部と、上記計測演算部による計測演算や、上記表示部における表示のための各種設定、表示内容の切替え制御を行う表示制御部と、この表示制御部の切替え操作を行う操作部と、各設定項目の選択可能な設定値を記憶する選択内容記憶部と、上記操作部により入力された数字を上記選択内容記憶部に照会するデコード化部と、上記選択内容記憶部の選択内容をコード化（数値化）し、上記表示制御部に送るコード化部とを備え、上記表示部には設定項目ごとに割り当てられた表示面を有し、上記表示面には個々の設定項目、選択内容を予め数値化した設定コード表に従ったコード（数値）を表示させるようにしたことを特徴とするものである。
【発明の効果】
【００１０】
本発明に係る電子式指示計器によれば、主要な設定項目をコード化して一画面に表示させることにより、不要な画面切替えをなくし、設定作業、設定変更作業、設定内容確認作業を効率化することができる。
【発明を実施するための最良の形態】
【００１１】
実施の形態１．
図1は、本発明の実施形態１における電子式指示計器の主要構成を示すブロック図であ
る。図１において、電子式指示計器１００は、電路１から入力された電流、電圧から電圧、電流、電力、無効電力、力率、周波数などの各種電気量を演算する計測演算部２と、この計測演算部２で演算した計測値や設定項目を表示する表示部３と、上記計測演算部２による計測演算や、上記表示部３における表示のための各種設定や表示内容の切替え制御を行う表示制御部４と、この表示制御部４の切替え操作を行う操作部５を備えている。
【００１２】
上記電子式指示計器１００は、更に、相線式設定記憶部６ａ、一次電流設定記憶部６ｂ、一次電圧設定記憶部６ｃ、アナログ出力設定記憶部６ｄ、パルス出力設定記憶部６ｅ等の各設定項目の選択可能な設定値を記憶する選択内容記憶部６と、操作部５により入力された数字を選択内容記憶部６に照会するデコード化部７と、上記選択内容記憶部６の選択内容をコード化（数値化）し、表示制御部４に送るコード化部８と、決定された設定値を記憶し、計測演算に反映させる設定値記憶部９と、計測値に応じた電流またはパルスを出力する出力部１９から構成されている。
【００１３】
図２は、本発明の実施形態１における電子式指示計器の正面図である。図２において、表示部３は、一画面上に設定項目ごとに割り当てられた桁数を有する設定項目表示面からなっており、例えば、相線式の設定を表示する相線式設定表示部１０（一桁）と、電路１の定格電流の設定を表示する一次電流設定表示部１１（三桁）と、電路１の定格電圧の設定を表示する一次電圧設定表示部１２（四桁）と、アナログ出力を行う計測項目の選択を表示するアナログ出力設定表示部１３（四桁）と、パルス出力の設定内容を表示するパルス出力設定表示部１４（一桁）から構成される。
【００１４】
上記表示面には個々の設定項目、選択内容を予め数値化した設定コード表に従ったコード（数値）を表示することにより、後述するように、一画面で各種設定、設定内容の確認を行うようになっている。また、操作部５は設定モードと計測モードの切替えや選択内容決定時に使用する設定キー１５と、選択内容を切替えるマイナスキー１６、プラスキー１７と、選択内容取り消し時に使用するリセットキー１８から構成される。
【００１５】
図３は設定コード表の実施例で、各設定項目と選択内容の対応と、その表示例が記載されている。例えば相線式設定表示部１０については、「１」は三相３線式、「２」は三相
４線式、「３」は単相３線式、「４」は単相２線式と関連付けされている。次に一次電流設定表示部１１については、設定コードが３桁で構成されており、「上位２桁」の数字と、「下位１桁」を１０のべき数とした一次電流値を表している。ここでは１０００Ａの場合を示している。
【００１６】
次に一次電圧設定表示部１２については、設定コードが４桁で構成されており「上位３桁」の数字と、「下位１桁」を１０のべき数とした一次電圧値を表している。ここでは６６００Ｖの場合を示している。次にアナログ出力設定表示部１３については、設定コードがＣＨ１からＣＨ４の４桁で構成されており、ＣＨ１はアナログ出力なしが「０」、Ｒ相電流が「１」、Ｓ相電流が「２」、Ｔ相電流が「３」に関連付けされており、ＣＨ２はＲ−Ｓ相間電圧が「４」、Ｓ−Ｔ相間電圧が「５」、Ｔ−Ｒ相間電圧が「６」に関連付けされており、ＣＨ３は有効電力が「７」、無効電力が「８」に、更に、ＣＨ４は力率「９」にそれぞれ関連付けられている。
【００１７】
なお、上記表示例ではアナログ出力として、ＣＨ１がＳ相電流、ＣＨ２がＴ−Ｒ相間電圧、ＣＨ３が有効電力、ＣＨ４が力率の場合を示している。また、出力部１９から出力されるパルス出力についても同様に数字が各設定値に関連付けされている。「１」はパルス出力なし、「２」は１ｋＷｈ／ｐｕｌｓｅ、「３」は０．１ｋＷｈ／ｐｕｌｓｅ、「４」は０．００１ｋＷｈ／ｐｕｌｓｅに関連付けられており、この表示例では、パルス出力が０．００１ｋＷｈ／ｐｕｌｓｅの場合を示している。
【００１８】
図４は、このような構成からなる電子式指示計器を用いた設定内容表示方式の一例を処理手順に従って説明するフローチャートである。
図４のフローチャートにおいて、先ず、操作部５（図２）における設定キー１５により計測モードから設定モードに切替える（Ｓ１０１）。
次いでプラスキー１７またはマイナスキー１６を押すことによりカーソルを移動させ、所望の設定項目表示部を選択し、設定キー１５により決定する（Ｓ１０２）。
【００１９】
今、相線式を変更する場合、プラスキー１７またはマイナスキー１６を押す毎に、相線式設定表示部１０の表示は「１」〜「４」に切替わる（Ｓ１０３）。図３の設定コード表を用いて所望の相線式に対応した数字を選択し（Ｓ１０４）、設定キー１５を押すことにより決定する（Ｓ１０５）。他に設定変更がない場合は設定キー１５により、計測モードに切替えて設定を終了する（Ｓ１１８）。また、続けて他の設定項目を変更する場合はＳ１０２で再び所望の設定項目表示部を選択し、設定キーにより例えば一次電流を決定する（Ｓ１０６）。
【００２０】
一次電流を変更する場合、プラスキー１７またはマイナスキー１６を押す毎に、一次電流設定表示部１１の最上位桁の数字が切り替わり、所望の値で設定キー１５により決定する。次にプラスキー１７またはマイナスキー１６を押す毎に一次電流設定表示部１１の上位２桁目の数字が切り替わり、所望の値で設定キー１５により決定する。次にプラスキー１７またはマイナスキー１６を押す毎に１０のべき数を表す一次電流設定表示部１１の最下位桁の数字が切り替わり（Ｓ１０７）、所望の値で設定キー１５により決定する（Ｓ１０８）。他に設定変更がない場合は設定キー１５により、計測モードに切替えて設定を終了する（Ｓ１１８）。また、続けて他の設定項目を変更する場合はＳ１０２で再び所望の設定項目表示部を選択し、設定キーにより例えば一次電圧を決定する（Ｓ１０９）。
【００２１】
次に、一次電圧を変更する場合、プラスキー１７またはマイナスキー１６を押す毎に、一次電圧設定表示部１２の最上位桁の数字が切り替わり、所望の値で設定キー１５により決定する。次にプラスキー１７またはマイナスキー１６を押す毎に一次電圧設定表示部１２の上位２桁目の数字が切り替わり、所望の値で設定キー１５により決定する。次にプラスキー１７またはマイナスキー１６を押す毎に一次電圧設定表示部１２の上位３桁目の数字が切り替わり、所望の値で設定キー１５により決定する。
【００２２】
続いて、プラスキー１７またはマイナスキー１６を押す毎に１０のべき数を表す一次電圧設定表示部１２の最下位桁の数字が切り替わり（Ｓ１１０）、所望の値で設定キー１５により決定する（Ｓ１１１）。他に設定変更がない場合は設定キー１５により、計測モードに切替えて設定を終了する（Ｓ１１８）。また、続けて他の設定項目を変更する場合はＳ１０２で再び所望の設定項目表示部を選択し、設定キーにより例えばアナログ出力に決定する（Ｓ１１２）。
【００２３】
アナログ出力項目を変更する場合、プラスキー１７またはマイナスキー１６を押す毎に、アナログ出力設定表示部１３の表示は「０」〜「９」が切替わる（Ｓ１１３）。設定コード表を用いて所望のアナログ出力項目に対応した数字を選択し（Ｓ１１３）、設定キー１５を押すことにより決定する（Ｓ１１４）。他に設定変更がない場合は設定キー１５により、計測モードに切替えて設定を終了する（Ｓ１１８）。また、続けて他の設定項目を変更する場合はＳ１０２で再び所望の設定項目表示部を選択し、設定キーにより例えばパルス出力を決定する（Ｓ１１５）。
【００２４】
パルス出力を変更する場合、プラスキー１７またはマイナスキー１６を押す毎に、パルス出力設定表示部１４の表示は「０」〜「４」が切替わる（Ｓ１１６）。設定コード表を用いて所望の設定に対応した数字を選択し（Ｓ１１６）、設定キー１５を押すことにより決定する（Ｓ１１７）。他に設定変更がない場合は設定キー１５により、計測モードに切替えて設定を終了する（Ｓ１１８）。また、続けて他の設定項目を変更する場合はＳ１０２で再び所望の設定項目表示部を選択し、設定キーにより決定して、同様に変更を行う。
【００２５】
図５は設定内容終了および設定内容を確認する際の画面例であり、例えば相線式は三相３線式、一次電流は１０００Ａ、一次電圧は６６００Ｖ、アナログ出力のＣＨ１はＳ相の電流値に対応した出力、アナログ出力のＣＨ２はＴ−Ｒ間の電圧値に対応した出力、アナログ出力のＣＨ３は有効電力の値に対応した出力、アナログ出力のＣＨ４は力率に対応した出力、パルス出力は０．００１ｋＷｈ／ｐｕｌｓｅを設定した場合である。設定された設定内容はこのように一画面に表示、設定内容を確認される。
【００２６】
このように構成された電子式指示計器１００においては、主要な設定内容が一画面に表示されるため、設定確認画面を順次切り替えながら設定内容を表示させる手間が省ける。また一項目のみを変更したい場合にも、不要なキー操作が減少するため、設定操作ミスを軽減することができる。
【００２７】
また、前記設定において、所定の相線式を選択した場合、ありえない一次電圧値や一次電流値はスキップするよう設定される。例えば相線式設定で単相３線を選択した場合、一次電圧設定は自動的に２２０Ｖが選択される。このようにすることで、不要なキー操作をさらに減少させることができ、また、ありえない設定値を選択してしまう設定ミスも軽減することができる。
【図面の簡単な説明】
【００２８】
【図１】本発明の実施形態１における電子式指示計器のブロック図である。
【図２】本発明の実施形態１における電子式指示計器の正面図である。
【図３】本発明の実施形態１における設定コード表の実施例である。
【図４】本発明の実施形態１における電子式指示計器を介して実現されるこの発明に係る処理手順の一実施例を示すフローチャートである。
【図５】本発明の実施形態１における設定内容確認画面の例を示す。
【符号の説明】
【００２９】
１００    電子式指示計器、    １    電路、２    計測演算部、    ３  表示部、
４  表示制御部、    ５    操作部、    ６    選択内容記憶部、
６ａ    相線式設定記憶部、    ６ｂ    一次電流設定記憶部、
６ｃ    一次電圧設定記憶部、    ６ｄ    アナログ出力設定記憶部、
６ｅ    パルス出力設定記憶部、    ７    デコード化部、
８    コード化部、    ９    設定値記憶部、    １０    相線式設定表示部、
１１    一次電流設定表示部、    １２    一次電圧設定表示部、
１３    アナログ出力設定表示部、    １４    パルス出力設定表示部、
１５    設定キー、    １６  −キー、    １７    ＋キー、
１８  リセットキー、    １９  出力部。
【図１】
2010032366.tif 000003
【図２】
2010032366.tif 000004
【図３】
2010032366.tif 000005
【図４】
2010032366.tif 000006
【図５】
2010032366.tif 000007